(57)【要約】【課題】超音波水位計を岸側から支持する等の用途に用いられる張り出し支柱について、設置作業および定期的なメンテナンス作業を容易とする。【解決手段】垂直に立設した支柱２と、支柱２の横方向に延長し、かつ基端部にヒンジ機構を備える主梁３と、支柱２および主梁３と直交状態で配置された補助梁４とを有し、主梁３の基端部および補助梁４は、支柱２を中心として回転可能な回転基部５を介して支柱２に取り付けられており、主梁３には前記支柱２の上方と補助梁４の両側とからブレース６，１３が張設され、かつ主梁３は吹き上げ防止材８によって支柱２の下方と接続されていることを特徴とする回転式張り出し支柱１とその設置方法。【選択図】　図１
2004084213.tif 000002
【特許請求の範囲】
【請求項１】
垂直に立設した支柱と、前記支柱から横方向に延長して前記支柱に取り付けられた主梁と、前記支柱に取り付けられた補助梁とからなり、前記主梁と前記補助梁とは前記支柱を中心として回転可能に取り付けられており、前記補助梁の操作に伴って前記主梁が回転するように前記主梁および前記補助梁が前記支柱に対して取り付けられていることを特徴とする回転式張り出し支柱。
【請求項２】
前記補助梁が主梁に対して直角に取り付けられていることを特徴とする請求項１に記載の回転式張り出し支柱。
【請求項３】
前記主梁が支柱の上下方向に回動可能なヒンジ機構を備えていることを特徴とする請求項１または請求項２に記載の回転式張り出し支柱。
【請求項４】
前記主梁および前記補助梁は、前記支柱を中心として回転可能な回転基部を介して前記支柱に取り付けられており、前記主梁には前記支柱上方の回転リングと補助梁の両側とからブレースが張設され、かつ前記主梁は吹き上げ防止材によって前記支柱の下方と接続されていることを特徴とする請求項１から請求項３のいずれか１項に記載の回転式張り出し支柱。
【請求項５】
支柱および回転基部にはピン孔が開孔されており、前記ピン孔に挿入されたロックピンによって回転基部が固定されることを特徴とする請求項４に記載の回転式張り出し支柱。
【請求項６】
（１）地面に支柱を寝かせた状態で回転基部、回転リング、ブレースを前記支柱に取り付けた後、前記支柱を建柱する第１工程、（２）前記回転基部に主梁の一端および補助梁を取り付け、支柱に取り付けたブレースと補助梁の両側に取り付けたブレースとを主梁に連結し、かつ主梁の先端部に機材を取り付ける第２工程、（３）各ブレースに張力を導入して主梁を所定位置にセットして、主梁に吹き上げ防止材の一端を取り付ける第３工程、（４）前記補助梁を回転させて、主梁を所定位置まで移動させ、吹き上げ防止材の他端を前記支柱と接続する第４工程、からなる請求項４または請求項５に記載の回転式張り出し支柱の設置方法。
【発明の詳細な説明】
【０００１】
【発明の属する技術分野】
本発明は、水面上方に配置する超音波水位計などの機材を岸側から支持する等の用途に用いられる張り出し支柱について、設置作業および定期的なメンテナンス作業を容易とする張り出し支柱とその設置方法に関する。
【０００２】
【従来の技術】
ダム、貯水池などの水面上方に超音波水位計などの機材を配置するための張り出し支柱は一般に固定式であり、その設置作業では、部材等の搬入が困難な岸側からの作業か、あるいは船上から作業となるので悪条件下の作業となる。また、張り出し支柱の先端の超音波水位計をメンテナンスする場合には、船上に組んだ足場から高所作業することになるので、複数の作業員が必要となる上に作業が煩雑かつ危険であるので改善の余地が多かった。
【０００３】
【発明が解決しようとする課題】
本発明は前記従来技術の課題を解決するためにされたものであり、その目的は大がかりな機材を持ち込む必要なく岸側から設置作業を行なうことができ、かつ岸側から作業員単独でメンテナンスを行なうことのできる回転式張り出し支柱とその設置方法を提供することである。
【０００４】
【課題を解決するための手段】
（１）第１の発明は、垂直に立設した支柱２と、前記支柱２から横方向に延長して前記支柱２に取り付けられた主梁３と、前記支柱２に取り付けられた補助梁４とからなり、前記主梁３と前記補助梁４とは前記支柱２を中心として回転可能に取り付けられており、前記補助梁４の操作に伴って前記主梁３が回転するように前記主梁３および前記補助梁４が前記支柱２に対して取り付けられていることを特徴とする回転式張り出し支柱１である。
（２）第２の発明は、第１の発明において、前記補助梁４が主梁３に対して直角に取り付けられていることを特徴とする。
（３）第３の発明は、第１または第２の発明において、前記主梁３が支柱２の上下方向に回動可能なヒンジ機構３ａを備えていることを特徴とする。
（４）第４の発明は、第１から第３の発明において、前記主梁３および前記補助梁４は、前記支柱２を中心として回転可能な回転基部５を介して前記支柱２に取り付けられており、前記主梁３には前記支柱２上方の回転リング７と補助梁４の両側とからブレース６，１３が張設され、かつ前記主梁３は吹き上げ防止材８によって前記支柱２の下方と接続されていることを特徴とする。
（５）第５の発明は、第４の発明において、支柱２および回転基部５にはピン孔が開孔されており、前記ピン孔に挿入されたロックピン１０によって回転基部５が固定されることを特徴とする。
【０００５】
また上記の第４または第５の発明における回転式張り出し支柱１の設置は、以下の（１）から（４）の工程で行なわれる。
（１）地面１６に支柱２を寝かせた状態で回転基部５、回転リング７、ブレース６を前記支柱２に取り付けた後、前記支柱２を建柱する。
（２）前記回転基部５に主梁３の一端および補助梁４を取り付け、支柱２に取り付けたブレース６と補助梁４の両側に取り付けたブレース１３とを主梁３に連結し、かつ主梁３の先端部に機材１１，１２を取り付ける。
（３）各ブレース６，１３に張力を導入して主梁３を所定位置にセットして、主梁３に吹き上げ防止材８の一端を取り付ける。
（４）前記補助梁４を回転させて、主梁３を所定位置まで移動させ、吹き上げ防止材８の他端を前記支柱２と接続する。
【０００６】
【発明の実施の形態】
以下、本発明の実施形態を図面を参照しつつ詳細に説明する。図１は本発明の回転式張り出し支柱の側面図であり、図２は本発明の回転式張り出し支柱の平面図である。
【０００７】
本発明の回転式張り出し支柱１は、水面上方に配置する超音波水位計を岸側から支持する等の用途に用いられ、支柱２と、機器を取り付ける主梁３と、主梁３を回転させるための補助梁４とを主要な構成とする。本実施形態における回転式張り出し支柱１は、主梁３を通過する垂直面を基準として対称形となるように構成され、主梁３および補助梁４が支柱２を中心として回転可能に組み立てられている。
【０００８】
支柱２は地面１６に垂直に立設されており、この支柱２には主梁３および補助梁４を取り付けるための回転基部５と、その回転基部５の上方に上ブレース６を取り付けるための回転リング７とが回動可能に取り付けられている。また回転基部５の下方には、主梁３を固定する方向に向けて、吹き上げ防止材８の他端を固定するためのピン支持部９が支柱２に設けられている。
【０００９】
なお図３に示すように、支柱２および回転基部５にはピン孔が開孔されており、ピン孔にロックピン１０を挿入することで主梁３を所定の方向で固定することが可能となっている。
【００１０】
主梁３は支柱２に対して横方向に延長するように片持ち状態で配置され、その先端部には超音波水位計１１および温度計１２などの機器が取り付けられる。また主梁３には、回転基部５の上方の回転リング７から延長する上ブレース６と、補助梁４から延長する左右ブレース１３とが連結される。なお、これらのブレースへの張力の導入は、ブレースに設けられたターンバックル１４によって行なう。
【００１１】
また図３に示すように、主梁３の基端部および回転基部５はヒンジ機構３ａで連結されており、主梁３が上下方向に回動可能に構成されている。そして、主梁３下側の基端部近傍には吹き上げ防止材８の一端がピン支持されている。なお主梁３および吹き上げ防止材８には係止索１５が結びつけられており、吹き上げ防止材８の他端が支柱２の付近に留まるようになっている。
【００１２】
補助梁４は、支柱２および主梁３と直交状態となるように回転基部５に取り付けられている。この補助梁４には、主梁３を挟んで左右ブレース１３の端部が両側に設けられている。
【００１３】
本発明の回転式張り出し支柱１は上記のように構成され、以下その作用を説明する。本発明では、主梁３および補助梁４を取り付けた回転基部５と上ブレース６を取り付けた回転リング７とが支柱２に回動可能に取付けられており、ロックピン１０および吹き上げ防止材８のピンを解除した状態では、主梁３が支柱２を中心として回転するようになっている。したがって、大がかりな機材を持ち込む必要なく岸側から設置作業を行なうことができるので、組み立てが容易で施工性が非常に優れている。また主梁３の先端に設置した超音波水位計等の機器をメンテナンスする場合には、主梁３を回転させて岸側で作業することが可能である。
【００１４】
さらに本発明では、ロックピン１０および吹き上げ防止材８によって主梁３を崖側などの所定方向に向けて固定することができる。このとき、支柱２に対して横方向に突出した片持ちの主梁３は、上ブレース６および吹き上げ防止材８によって上下方向の安定性が保持され、左右ブレース１３によって水平方向の安定性が保持される。
【００１５】
また図４に示すように、本発明の回転式張り出し支柱１の設置は以下のように行なわれる。
【００１６】
（ａ）まず地面１６に支柱２を寝かせた状態で回転基部５、回転リング７、ブレース６を支柱２に取り付けて、その後に支柱２を地面１６に建柱する［図４（ａ）］。
（ｂ）主梁３が複数の部品からなる場合には事前に主梁３を組み立てた後、回転基部５に主梁３の一端を取り付ける。そして、回転リング７に取り付けた上ブレース６を主梁３と連結する［図４（ｂ）］。
（ｃ）回転基部５に補助梁４を取り付け、主梁３および補助梁４の両側に左右ブレース１３の端部をそれぞれ取り付ける［図４（ｃ）］。
（ｄ）主梁３の先端部に超音波水位計１１および温度計１２などの機器を取り付ける。そして、上ブレース６および左右ブレース１３のターンバックルを回転させて張力を導入し、下向きに屈折した状態の主梁３を持ち上げて水平にセットする。また、主梁３下側の基端部近傍に吹き上げ防止材８の一端をピン支持で取り付け、かつ主梁３および吹き上げ防止材８に係止索１５を結びつけて仮止めする。［図４（ｄ）］。
（ｅ）補助梁４を回転させて、主梁３を所定方向（崖側）に向けて固定する［図４（ｅ）］。なお主梁３の固定は、支柱２および回転基部５のピン孔にロックピン１０を挿入し、かつ吹き上げ防止材８の他端と支柱２のピン支持部とを接続することによって行なう。
【００１７】
以上の実施形態に基づき本発明を説明してきたが、本発明の回転式張り出し支柱の構成は実施形態の記載に限定されるものではない。例えば、回転式張り出し支柱の用途は超音波水位計の保持に限定されることなく、その他の用途に用いるものであってもよい。
【００１８】
また、補助梁は主梁の回転を容易にするためのものであるので、主梁に対して直角に取り付けられてあれば、支柱に対しては平行であってもよく、または支柱に対して傾斜していてもよい。また主梁と補助梁とがＴ字状を構成するように取付けられなくともよく、補助梁が主梁の片側のみに延長するＬ字状の取付態様であってもよい［いずれも図示を省略する］。
【００１９】
さらに上記の実施形態では主梁を安定させるために上ブレース、左右ブレースを用いているが、主梁を支持・固定する手段はブレース以外のものであってもよい。例えば、主梁をトラス構造としてブレースを設けない構造としてもよい［図示を省略する］。
【００２０】
【発明の効果】
本発明の回転式張り出し支柱は、主梁および補助梁を取り付けた回転基部と上ブレースを取り付けた回転リングとが支柱に回動可能に取付けられており、大がかりな機材を持ち込む必要なく岸側から設置作業を行なうことができるので、組み立てが容易で施工性が非常に優れている。
【００２１】
また本発明では、主梁の先端に設置した超音波水位計等の機器をメンテナンスする場合には、主梁を回転させて岸側で作業することができる。したがって、主梁の先端の機器については、岸側から安全かつ簡単に作業員単独でメンテナンスを行なうことが可能である。
【００２２】
さらに本発明では、ロックピンおよび吹き上げ防止材によって主梁を崖側などの所定方向に向けて固定できる。このとき、支柱に対して横方向に突出した片持ちの主梁は、上ブレースおよび吹き上げ防止材によって上下方向の安定性が保持され、左右ブレースによって水平方向の安定性が保持される。
【図面の簡単な説明】
【図１】本発明の回転式張り出し支柱の側面図である。
【図２】本発明の回転式張り出し支柱の平面図である。
【図３】本発明の回転式張り出し支柱の回転基部付近の状態を示す断面図である。
【図４】本発明の回転式張り出し支柱の設置工程を示す概要図である。
【符号の説明】
１　　回転式張り出し支柱
２　　支柱
３　　主梁
３ａ　ヒンジ機構
４　　補助梁
５　　回転基部
６　　上ブレース
７　　回転リング
８　　吹き上げ防止材
９　　ピン支持部
１０　ロックピン
１１　超音波水位計
１２　温度計
１３　左右ブレース
１４　ターンバックル
１５　係止索
１６　地面
【図１】
2004084213.tif 000003
【図２】
2004084213.tif 000004
【図３】
2004084213.tif 000005
【図４】
2004084213.tif 000006